(57)【特許請求の範囲】
【請求項１】
平面視において、架台に載置された床パンの少なくとも一辺に前記架台の突設部が形成され、前記突設部に前記床パンと別体の腰壁カウンターが支持材を介して取付けられ、前記支持材には高さ調整機構が備えられていることを特徴とする腰壁カウンターの設置構造。
【発明の詳細な説明】
【０００１】
【発明の属する技術分野】
本発明は、浴室のカウンターの設置構造に係り、特に床パン外周よりも外側に突設された腰壁カウンターに好適な取付け構造に関する。
【０００２】
【従来の技術】
従来、特開平１１−２５６６４６号に見られるものを詳述すると、以下の通りである。特開平１１−２５６６４６号では、床パン外周部より外側に張出す腰壁パネル下側に支持材を取付け、支持材を直接床パンの据付け面に載置している。
【０００３】
【発明が解決しようとする課題】
従来の腰壁カウンターの設置構造では、腰壁パネル下側に支持材を取付け、支持材を直接床パンの据付け面に載置しているため、位置出しのための墨出し作業をする際に、床パンと腰壁カウンターの両方の位置出しが必要であり、また据付け面自体に凹凸がある場合には、レベル調整作業をする際に、床パンと腰壁カウンター両方のレベル調整作業が必要になり、結果として施工の手間がかかり、施工費も上がるという不具合があった。
【０００４】
また、床パンと腰壁カウンターの設置位置がずれていたり、建築躯体と干渉したりした場合に、床パンと腰壁カウンターを同時に移動させる必要があり、再度両部材の墨出し作業とレベル調整作業を行う必要があった。
【０００５】
また、別の不具合として、従来の腰壁カウンターの設置構造では、腰壁カウンター平面部や立上り面に点検口がないため、腰壁カウンターのレベル調整を行う際に、レベルが合わないとその都度腰壁カウンターを取外し、支持脚の調整を行ってから、再度設置するという面倒な作業が必要であった。さらに、腰壁カウンター裏部分にある配管等のメンテナンス作業をする場合に、その都度腰壁カウンターを取外す必要があった。
【０００６】
本発明は、上記課題を解決するためになされたもので、本発明の目的は、位置出しのための墨出し作業をする際に、床パンと腰壁カウンターの両方の位置出しが必要になったり、据付け面自体に凹凸がある場合でも、レベル調整作業をする際に、床パンと腰壁カウンター両方のレベル調整作業が必要ない腰壁カウンターの設置構造、また、床パンと腰壁カウンターの設置位置のずれや建築躯体との干渉のために、床パンと腰壁カウンターを同時に移動させる必要がある場合でも、再度両部材の墨出し作業とレベル調整作業をする必要がない腰壁カウンターの設置構造、また、腰壁カウンターを取外すことなくレベル調整や腰壁カウンター裏部分の配管等のメンテナンス作業を楽に出来る腰壁カウンターの設置構造を提供することにある。
【０００７】
【課題を解決するための手段及び効果】
上記目的を達成するために本発明では、平面視において、架台に載置された床パンの少なくとも一辺に前記架台の突設部が形成され、前記突設部に前記床パンと別体の腰壁カウンターが支持材を介して取付けられ、前記支持材には高さ調整機構が備えられていることを特徴とする腰壁カウンターの設置構造なので、位置出しのための墨出し作業をする際には、床パンの墨出し作業のみを行えばよく、床パンと腰壁カウンターの両方の位置出しは必要なく、同様に、据付け面自体に凹凸がある場合でも、床パンのレベル調整作業のみを行えばよく、床パンと腰壁カウンター両方のレベル調整作業が必要ない。また、床パンと腰壁カウンターの設置位置がずれていたり、建築躯体と干渉したりした場合には、床パンのみを移動してレベル調整を行えばよく、床パンと腰壁カウンターを同時に移動させたり、再度両部材の墨出し作業、レベル調整作業を行う必要がない。
【０００８】
また、本発明によれば、架台自体に反りがある場合でも、腰壁カウンターのレベル調整が出来るため、腰壁カウンターのレベルが違っている場合でも、取外して再度レベル調整をする必要がない。また、腰壁カウンター裏側にある配管のメンテナンスを行う際に、その都度腰壁カウンターを取外す必要がない。
【００１８】
【発明の実施の形態】
以下、本発明の実施例を図面に基づいて説明する。
図1は本発明における第1の実施の形態で、腰壁カウンターの取付け状態を示す斜視図である。腰壁カウンター１は、床パン４よりも突設された架台３に支持材２を介して取付けられている。支持材２は、図２に示すとおり、上端部を腰壁カウンターに取付けられた補強材５に取付けねじ６で取付けられており、下端部を架台３にスペーサー７を介して載置されている。
【００１９】
このため、位置出しのための墨出し作業をする際には、床パン４の墨出し作業すなわち架台３の墨出し作業のみを行えばよく、床パンと腰壁カウンターの両方の位置出しが必要ない。同様に、据付け面８自体に凹凸がある場合でも、床パン４のレベル調整作業のみを行えばよく、床パン４と腰壁カウンター１の両方のレベル調整作業が必要ない。また、床パン４と腰壁カウンター１の設置位置がずれていたり、建築躯体と干渉したりした場合には、床パン４のみを移動してレベル調整を行えばよく、床パン４と腰壁カウンター１を同時に移動させたり、再度両部材の墨出し作業、レベル調整作業を行う必要がない。
【００２０】
また、図３に示すとおり、支持材２の上端部を腰壁カウンターに取付けられた補強材５に取付けねじ６で取付けられているため、腰壁カウンター自体が自立し、設置前に倒れて意匠面にキズがついたりすることがないという利点がある。
【００２１】
図４は、本発明における第２の実施の形態で、腰壁カウンターの取付け状態を示す断面図である。点検口２１付きの腰壁カウンター２５が、床パン４よりも突設された架台３にボルト２２による調整機構を備えた支持材２４を介して取付けられている。支持材２４は、上端部を腰壁カウンター２５に取付けられた補強材５に取付けねじ６で取付けられており、下部の折曲げ部２３に施されたタップ部にボルト２２を通し、ボルト２２は架台３に載置されて調整機構を成している。
【００２２】
このため、位置出しのための墨出し作業をする際には、床パン４の位置出し作業のみを行えばよく、床パン４と腰壁カウンター２５の両方の位置出しは必要なく、同様に、据付け面８自体に凹凸がある場合でも、床パン４のレベル調整作業のみを行えばよく、床パン４と腰壁カウンター２５両方のレベル調整作業が必要ない。また、床パン４と腰壁カウンター２５の設置位置がずれていたり、建築躯体と干渉したりした場合には、床パン４のみを移動してレベル調整を行えばよく、床パン４と腰壁カウンター２５を同時に移動させたり、再度両部材の墨出し作業、レベル調整作業を行う必要がない。また、架台３自体に反りがある場合でも、点検口２１から腰壁カウンター２５のレベル調整が出来るため、腰壁カウンター２５のレベルが違っている場合でも、取外して再度レベル調整をする必要がない。また、腰壁カウンター２５に取付いている水栓金具２６の裏配管２７のメンテナンスを点検口２１から行うことが出来るため、その都度腰壁カウンター２５を取外す必要がない。
【００２３】
図5は、本発明における第３の実施の形態で、腰壁カウンターの取付け状態を示す断面図である。
腰壁カウンター１は、床パン４よりも突設された架台３に支持材３１を介して取付けられている。支持材３１は、下端部を架台３に取付ねじ３２で固定されている。上端部はスペーサー３３を介して腰壁カウンター１に取付けられている。このため、第1の実施の形態と同様に、位置出しのための墨出し作業をする際には、床パン４の墨出し作業すなわち架台３の墨出し作業のみを行えばよく、床パンと腰壁カウンターの両方の位置出しが必要ない。同様に、据付け面８自体に凹凸がある場合でも、床パン４のレベル調整作業のみを行えばよく、床パン４と腰壁カウンター１の両方のレベル調整作業が必要ない。また、床パン４と腰壁カウンター１の設置位置がずれていたり、建築躯体と干渉したりした場合には、床パン４のみを移動してレベル調整を行えばよく、床パン４と腰壁カウンター１を同時に移動させたり、再度両部材の墨出し作業、レベル調整作業を行う必要がない。
【００２４】
また、支持材３１が下端部を架台３に取付ねじ３２で固定されているため、腰壁カウンター１を設置する際に、軽量であり、施工がしやすいという利点がある。
【図面の簡単な説明】
【図１】参考例を示す腰壁カウンターの取付状態斜視図である。
【図２】参考例を示す腰壁カウンターの取付状態断面図である。
【図３】参考例を示す腰壁カウンターの自立構造を示す断面図である。
【図４】本発明の第１の実施の形態を示す腰壁カウンターの取付状態断面図である。
【図５】参考例を示す腰壁カウンターの取付状態断面図である。
【図１】
0004632164.tif 000002
【図２】
0004632164.tif 000003
【図３】
0004632164.tif 000004
【図４】
0004632164.tif 000005
【図５】
0004632164.tif 000006